(57)【要約】【課題】袋体の開口を開閉自在に封じる嵌合具であって、袋体の開封作業がより容易に行える嵌合具、および該嵌合具を具備する嵌合具付き袋体の提供を目的とする。【解決手段】袋体の開口を開閉自在に封じる嵌合具であって、一対の帯状の基材２、３に、着脱自在に嵌合する一対の雄爪部４および雌爪部５がそれぞれ基材２、３の長手方向に沿って設けられ、基材３に、基材３を切断するのを補助する切断補助線６が長手方向に沿って設けられ、基材３の雌爪部５から切断補助線６までの幅が、基材２の雄爪部４から側端２ａまでの幅よりも広い嵌合具１。また、嵌合具１を具備する嵌合具付き袋体。【選択図】図１
2011206231.tif 000002
【特許請求の範囲】
【請求項１】
袋体の開口を開閉自在に封じる嵌合具であって、
一対の帯状の基材に、着脱自在に嵌合する一対の嵌合部がそれぞれ前記基材の長手方向に沿って設けられ、
一方の基材に、該基材を切断するのを補助する切断補助線が長手方向に沿って設けられ、該基材の嵌合部から前記切断補助線までの幅が、他方の基材の嵌合部から前記切断補助線に対応する側の側端までの幅よりも広いことを特徴とする嵌合具。
【請求項２】
内容物を収容する密封された状態の袋本体と、該袋本体に取り付けられた請求項１に記載の嵌合具とを具備し、
前記袋本体における前記嵌合具の切断補助線の末端部分に対応する位置に、ノッチが形成されている嵌合具付き袋体。
【発明の詳細な説明】
【技術分野】
【０００１】
本発明は、嵌合具および嵌合具付き袋体に関する。
【背景技術】
【０００２】
食品、薬品および雑貨などの様々な分野では、袋体の開口を開閉自在に封じる嵌合具が取り付けられた嵌合具付き袋体が広く用いられている。このような嵌合具は、一対の帯状の基材に、雄爪部（雄側嵌合部）および該雄爪部に着脱自在に嵌合する雌爪部（雌側嵌合部）が、該基材の長手方向に沿ってそれぞれ設けられている。嵌合具を袋体に取り付けて、雄爪部と雌爪部とを着脱させることにより、袋体の開口の開閉が繰り返し行える。
【０００３】
例えば、嵌合具付き袋体は、その上部に縦に一軸延伸されたポリエステル樹脂製の細幅テープを装着し、そのテープと共に袋本体のフィルムを切断し開口を形成するものや、一対の帯状の基材の各々に、雄爪部と雌爪部が長手方向に沿って設けられ、さらに易カット性機能樹脂部が長手方向に沿ってそれぞれ対向するように設けられた嵌合具を備えるものが示されている（特許文献１）。この嵌合具を取り付けた嵌合具付き袋体は、流通時には密封されている。そして、易カット性機能樹脂部に沿って、嵌合具の基材を切断すると共に袋本体を切断することで開口が形成される。形成された開口は、嵌合具によって開閉自在となる。この嵌合具付き袋体は、開口を形成するために袋本体にミシン目を形成しておく必要がないため、流通時に袋体が破れるおそれが少ない。
【０００４】
しかし、この嵌合具付き袋体は、形成した開口を嵌合具で閉じた後、再度開封する際、その開封作業が難しいことがある。開封は、袋本体の開口端をそれぞれ持ち、それらを離間する方向に引っ張り、雄爪部を雌爪部から脱離させることで行う。しかし、開口が嵌合具で閉じられているときには、その開口端における対向するフィルム材同士が密着しており、雄爪部側と雌爪部側の開口端をそれぞれ摘まむことが難しい。そのため、袋体の開封に時間がかかることがある。
【先行技術文献】
【特許文献】
【０００５】
【特許文献１】特許４１４５６７７号公報
【発明の概要】
【発明が解決しようとする課題】
【０００６】
本発明は、袋体の開口を開閉自在に封じる嵌合具であって、袋体の開封作業がより容易に行える嵌合具、および該嵌合具を具備する嵌合具付き袋体の提供を目的とする。
【課題を解決するための手段】
【０００７】
本発明は、前記課題を解決するために以下の構成を採用した。
［１］袋体の開口を開閉自在に封じる嵌合具であって、一対の帯状の基材に、着脱自在に嵌合する一対の嵌合部がそれぞれ前記基材の長手方向に沿って設けられ、一方の基材に、該基材を切断するのを補助する切断補助線が長手方向に沿って設けられ、該基材の嵌合部から前記切断補助線までの幅が、他方の基材の嵌合部から前記切断補助線に対応する側の側端までの幅よりも広いことを特徴とする嵌合具。
［２］内容物を収容する密封された状態の袋本体と、該袋本体に取り付けられた請求項１に記載の嵌合具とを具備し、前記袋本体における前記嵌合具の切断補助線の末端部分に対応する位置に、ノッチが形成されている嵌合具付き袋体。
【発明の効果】
【０００８】
本発明の嵌合具は、袋体の開口を開閉自在に封じる嵌合具であって、袋体の開封作業がより容易に行える。
また、本発明の嵌合具付き袋体は、袋体の開封作業がより容易に行える。
【図面の簡単な説明】
【０００９】
【図１】本発明の嵌合具の実施形態の一例を示した斜視図である。
【図２】本発明の嵌合具の実施形態の一例を示した断面図である。
【図３】本発明の嵌合具付き袋体の一例を示した概略正面図である。
【図４】図３の嵌合具付き袋体の上部を拡大した背面図である。
【図５】図３の嵌合具付き袋体を直線Ｉ−Ｉ’で切断した断面図である。
【図６】図３の嵌合具付き袋体の上部を開封する様子を示した正面図である。
【図７】図３の嵌合具付き袋体の上部を開封した状態を示した正面図である。
【図８】図７の嵌合具付き袋体の上部の断面図である。
【図９】本発明の嵌合具の他の実施形態例を示した断面図である。
【発明を実施するための形態】
【００１０】
以下、本発明の嵌合具の実施形態の一例を示して詳細に説明する。図１は、本発明の嵌合具の一実施形態例である嵌合具１の斜視図である。図２は、嵌合具１を幅方向に沿って切断したときの断面図である。
本実施形態の嵌合具１は、図１および図２に示すように、一対の帯状の基材２、３を有しており、着脱自在に嵌合する一対の嵌合部である雄爪部４と雌爪部５が、基材２、３の長手方向に沿ってそれぞれ設けられている。
【００１１】
嵌合具１の材質としては、公知の嵌合具と同じ材質が使用でき、ポリエチレン、ポリプロピレンなどのポリオレフィン系樹脂などが挙げられる。嵌合具１の材質は、１種の樹脂からなっていてもよく、２種以上の樹脂を含む樹脂組成物からなっていてもよい。また、必要に応じて安定剤、酸化防止剤、滑剤、帯電防止剤、着色剤などの公知の添加剤が添加されていてもよい。
また、基材２、３は、単層構成からなっていてもよく、多層構成からなっていてもよい。積層フィルムとしては、ヒートシール層、耐熱層、バリア層などを含むフィルムが挙げられる。
【００１２】
基材３の一方の側端３ａから雌爪部５までの幅は、基材２の対応する側端２ａから雄爪部４までの幅よりも広くなっている。一方、基材２の他方の側端２ｂと、基材３の対応する側端３ｂは揃っている。つまり、基材３の幅が基材２の幅よりも広くなっている。
ただし、側端２ｂと側端３ｂは揃っている形態には限定されず、ずれていてもよい。
【００１３】
基材３には、雌爪部５の側端３ａ側に、基材３の長手方向に沿って薄肉部からなる切断補助線６が設けられている。つまり、嵌合具１は、切断補助線６に沿って基材３を切断し、側端３ａ側の一部を切り取れるようになっている。
切断補助線６は、嵌合具１を取り付けた袋体に開口を形成する際に利用するものである。
【００１４】
切断補助線６の薄肉部の厚みは、０．０１〜０．１０ｍｍが好ましい。
基材３の切断補助線６以外の部分の厚みは、切断補助線６の薄肉部の厚みよりも厚く、０．０１〜０．３０ｍｍが好ましい。
【００１５】
基材２の厚みは、０．１０〜０．３０ｍｍが好ましい。基材２の厚みが０．１０ｍｍ以上であれば、嵌合具１を取り付けた袋体の切断補助線６を利用して切断して開口を形成する際に、基材２側の袋本体が側端２ａに沿って綺麗に切断されやすくなる。
【００１６】
また、基材３における雌爪部５から切断補助線６までの幅ｄ１は、基材２における切断補助線６に対応する側の側端２ａから雄爪部４からまでの幅ｄ２よりも広くなっている。すなわち、基材３を切断補助線６に沿って切断した後も、基材３の側端３ａ側の長さが、基材２の側端２ａ側の長さよりも長くなるようになっている。
【００１７】
基材３における雌爪部５から切断補助線６までの幅と、基材２における雄爪部４から基材端２ａまでの幅の差（ｄ１−ｄ２）は、２．０〜１０．０ｍｍが好ましい。差（ｄ１−ｄ２）が２．０ｍｍ以上であれば、嵌合具１を取り付けた袋体において、切断補助線６を利用して袋体に開口を形成した後、嵌合具１で閉じた開口の開封が容易になる。差（ｄ１−ｄ２）が１０．０ｍｍ以下であれば、袋体に開口を形成するときに、基材２側の袋本体が基材２の側端２ａに沿って切断されやすくなる。
【００１８】
雄爪部４は、基材２の内面から突き出すように形成された幹部４ａと、断面略半円形状の頭部４ｂを有している。また、雌爪部５は、基材３の内面から断面円弧状に突き出すように形成されており、凹部５ａが形成されている。
雄爪部４と雌爪部５は、雄爪部４の頭部４ｂを雌爪部５の凹部５ａに嵌め込めるようになっており、着脱自在に嵌合できる。
雄爪部４と雌爪部５の形状は特に制限はなく、それらを着脱することで、袋体に形成した開口の開閉が繰り返し行えるものであれば、任意の形状、本数とすることができる。
【００１９】
以下、本発明の嵌合具付き袋体について、図３〜５に例示した、嵌合具１を取り付けた嵌合具付き袋体１０（以下、「袋体１０」という。）に基づいて、嵌合具１の作用と共に詳細に説明する。ただし、本発明の嵌合具付き袋体は、以下に説明する袋体１０には限定されない。
袋体１０は、図３〜５に示すように、内容物を収容する密封された状態の袋本体１１と、袋本体１１内の上部に横方向に沿って設けられた嵌合具１とを有している。
【００２０】
袋本体１１は、２枚のフィルム材１２、１３が重ね合わされ、それらの周縁部１４が全てヒートシールされることで形成されており、密封された状態になっている。
袋本体１１の形状は、本実施形態では矩形である。ただし、袋本体１１の形状は矩形には限定されない。また、袋本体１１の大きさも特に限定されず、袋本体１１に収容する内容物によって適宜選定すればよい。
【００２１】
袋本体１１を形成するフィルム材１２、１３は、ヒートシールにより嵌合具１を溶着できるものであればよく、内面側からシーラント層と基材層を少なくとも有する積層フィルムが好ましい。
基材層としては、二軸延伸ナイロン、二軸延伸ポリプロピレンなどが挙げられる。
シーラント層としては、直鎖状低密度ポリエチレン、無延伸ポリプロピレン、エチレン−酢酸ビニル共重合体、アイオノマーなどが挙げられる。
また、前記積層フィルムには、バリア層などの機能層を設けてもよい。
また、フィルム材１２、１３は、シーラント層のみからなる単層フィルムであってもよい。
【００２２】
嵌合具１は、図４に示すように、側端３ａ側が袋体１０の上部側に向くように、袋本体１１に取り付けられている。また、嵌合具１は、図５に示すように、嵌合具１の基材２が袋本体１１のフィルム材１２に溶着され、嵌合具１の基材３が袋本体１１のフィルム材１３に溶着されて取り付けられている。
また、袋体１０における嵌合具１の切断補助線６の末端部分に対応する位置には、ノッチ１５が形成されている（図４）。ノッチ１５の形状は、この例では三角形状であるが、特に限定されず、半円形状、直線状などであってもよい。
【００２３】
密封状態にある袋体１０は、ノッチ１５から切断を開始し、図６に示すように、袋本体１１の上部を、基材３が溶着されたフィルム材１３側から、基材２が溶着されたフィルム材１２に向かって引く。このとき、袋本体１１におけるフィルム材１３は、基材３の切断補助線６に沿って、基材３の一部と共に切断されて切り取られる。一方、袋本体１１のフィルム材１２の切断は、切断が進むにしたがってその切断位置が徐々に下降していく。切断位置が側端２ａに達した後は、基材２が溶着された部分は厚みがより厚く切断され難いので、フィルム材１２は側端２ａに沿って切断されていく。
【００２４】
このように嵌合具１の切断補助線６を利用して上部を切り離した袋体１０は、図７および図８に示すように、上部に開口１６が形成される。また、基材３が溶着されたフィルム材１３側の開口端１８は、基材２が溶着されたフィルム材１２側の開口端１７よりも長くなっており、開口端に段差が形成される。
【００２５】
袋体１０に形成した開口１６は、嵌合具１の雄爪部４と雌爪部５の着脱により開閉自在となる。袋体１０は、嵌合具１により開口１６を閉じた状態から、その開口１６を再度開封することが容易である。すなわち、開口端１７、１８に段差があり、基材３が溶着されたフィルム材１３側の開口端１８の方が長いので、嵌合具１により開口１６を閉じている状態で開口１６近傍のフィルム材１２とフィルム材１３が密着していても、開口端１８を容易に摘まむことができる。そして、開口端１８を持ってフィルム材１３の上部を開くことにより、フィルム材１２側の開口端１７も容易に摘まむことができる。そのため、基材２、３がそれぞれ溶着された対向するフィルム材１２、１３の開口端１７、１８を持って、フィルム材１２とフィルム材１３を離間する方向に引っ張ることで、雄爪部４を雌爪部５から脱離させて容易に袋体１０を開封できる。
【００２６】
開口端１７と開口端１８の段差は、基材３における雌爪部５と切断補助線６との幅ｄ１と、基材２における雄爪部４と側端２ａの幅ｄ２との差（ｄ１−ｄ２）と一致する。そのため、その差（ｄ１−ｄ２）を調節することで開口端１７と開口端１８の段差を調節することができる。
【００２７】
以上説明したように、本発明の嵌合具は、基材に設けられた切断補助線を利用して袋体に開口を形成でき、形成した開口を開閉自在とすることができる。さらに、本発明の嵌合具により閉じた開口は、再度の開封作業が容易である。加えて、本発明の嵌合具を用いた嵌合具付き袋体は、袋本体にミシン目や、縦に延伸されたカット補助テープなどを形成しなくても該袋体に容易に開口を形成でき、また、袋本体にミシン目などを形成しなくてもよいことから流通時の袋体の破損のおそれも少ない。
【００２８】
なお、本発明の嵌合具は、前述した嵌合具１には限定されない。例えば、切断補助線は、薄肉部からなるものには限定されない。例えば、ミシン目からなる切断補助線であってもよい。ただし、ミシン目はヒートシールによって潰れて切断補助線としての機能が充分に得られなくなることがあるため、薄肉部からなる切断補助線の方が好ましい。また、切断補助線は、特許文献１のような易カット性機能樹脂部により形成してもよい。
また、嵌合具１では、雌爪部５が設けられた基材３に切断補助線６が形成されていたが、この形態には限定されず、基材３に雄爪部が設けられ、基材２に雌爪部が設けられた形態であってもよい。
【００２９】
また、本発明の嵌合具は、図９に示すように、基材２の側端２ａ側の内面に複数のリブ７ａが設けられ、基材３の雌爪部５と切断補助線６の間に複数のリブ７ｂが設けられた嵌合具１Ａであってもよい。嵌合具１Ａにおける嵌合具１と同じ部分については同じ符号を付して説明を省略する。
嵌合具１Ａは、切断補助線６を利用して袋体に開口を形成した後に、嵌合具１Ａにより閉じた開口を再度開封する場合、袋体の開口端を手で摘まむときにリブ７ａおよびリブ７ｂがグリップとして機能し、指が滑り難くなるため、袋体の開封がさらに容易になる。
嵌合具１Ａにおけるリブ７ａの数は、この例では３つであったが、２つ以下であってもよく、４つ以上であってもよい。同様に、リブ７ｂの数は、この例では４つであったが、３つ以下であってもよく、５つ以上であってもよい。
【符号の説明】
【００３０】
１  嵌合具  ２  基材  ２ａ、２ｂ、３ａ、３ｂ  基材の側端  ４  雄爪部  ５  雌爪部  ６  切断補助線  １０  嵌合具付き袋体  １１  袋本体  １２、１３  フィルム材  １４  周縁部  １５  ノッチ  １６  開口  １７、１８  開口端
【図１】
2011206231.tif 000003
【図２】
2011206231.tif 000004
【図３】
2011206231.tif 000005
【図４】
2011206231.tif 000006
【図５】
2011206231.tif 000007
【図６】
2011206231.tif 000008
【図７】
2011206231.tif 000009
【図８】
2011206231.tif 000010
【図９】
2011206231.tif 000011